(57)【要約】      （修正有）【課題】展示態様を変更可能として物品を見え易くできる台座及び台座ユニットを提供する。【解決手段】第一台座、第二台座は、底板部材で連結され、外形形状が、少なくとも、物品が載せられる載置面部２１、４１と、載置面部の外周縁部から延設される側面部２２、２３、４２、４３と、を備える。第一台座、第二台座は、設置面Ｅに設置された状態において、載置面部２１、４１が、設置面に対して傾斜するように形成されている。物品Ｃを上段に展示する場合と下段に展示する場合とで、第一、第二台座の設置態様を変更（側面部を前後変更）することで物品を見え易くできる。【選択図】図１３
0003225141.tif 000002
【実用新案登録請求の範囲】
【請求項１】
外形形状が、少なくとも、物品が載せられる載置面部と、前記載置面部の外周縁部から延設される側面部と、を備える台座であって、
設置面に設置された状態において、前記載置面部が、前記設置面に対して傾斜していることを特徴とする台座。
【請求項２】
前記載置面部の低い側に位置する前記側面部に配される第一表示部と、
前記載置面部の高い側に位置する前記側面部に配される第二表示部と、
を備え、
人が正対した場合に、
前記第一表示部が視認可能で前記第二表示部が視認困難な第一設置態様と、
前記第二表示部が視認可能で前記第一表示部が視認困難な第二設置態様と、
を取り得ることを特徴とする請求項１に記載の台座。
【請求項３】
前記台座は、紙製のシート部材で内部が中空状に形成され、
前記載置面部の内面と当接可能な上当接部と、
前記上当接部と連設され、前記載置面部の低い側から高い側に向かう方向に直交する方向に配される一対の前記側面部の内面と当接可能な一対の横当接部と、
前記横当接部及び前記上当接部と連設され形状を保持する保持部と、
を備える補強部材が、
前記上当接部が前記載置面部の内面と当接し、かつ、一対の前記横当接部が対応する前記側面部の内面と当接した状態で前記台座内に配設されていることを特徴とする請求項１又は２に記載の台座。
【請求項４】
請求項１〜３のいずれか一項に記載の一の台座と、
請求項１〜３のいずれか一項に記載の他の台座と、
前記一の台座と前記他の台座とを連結する底板部材と、
を備え、
前記一の台座と前記他の台座との間に隙間が設けられていることを特徴とする台座ユニット。
【請求項５】
前記一の台座は、前記他の台座と対向する方向に沿った幅が、前記他の台座より幅広に形成されていることを特徴とする請求項４に記載の台座ユニット。
【考案の詳細な説明】
【技術分野】
【０００１】
本考案は、物品を展示可能な台座及び台座ユニットに関する。
【背景技術】
【０００２】
上下二段の棚に物品を展示するような場合に、従来においては、物品が載せられる載置面が、設置面に対して水平に形成された台座が用いられていた。
【考案の概要】
【考案が解決しようとする課題】
【０００３】
しかし、上記の台座の場合、上段に展示される物品と下段に展示される物品では、展示位置の高さの違いにより視線の角度の違いが生じ、物品の見え易さが異なり、物品が見えにくくなることがあった。
【０００４】
本考案は、上記事情に鑑み、展示態様を変更可能として物品を見え易くできる台座及び台座ユニットを提供することを目的とする。
【課題を解決するための手段】
【０００５】
請求項１記載の考案では、外形形状が、少なくとも、物品が載せられる載置面部と、前記載置面部の外周縁部から延設される側面部と、を備える台座であって、
設置面に設置された状態において、前記載置面部が、前記設置面に対して傾斜している。
【０００６】
これによれば、例えば、台座の設置態様を変更することで、展示態様が変更可能となるので物品を見え易くできる。
【０００７】
また、前記載置面部の低い側に位置する前記側面部に配される第一表示部と、
前記載置面部の高い側に位置する前記側面部に配される第二表示部と、
を備え、
人が正対した場合に、
前記第一表示部が視認可能で前記第二表示部が視認困難な第一設置態様と、
前記第二表示部が視認可能で前記第一表示部が視認困難な第二設置態様と、
を取り得る。
【０００８】
これによれば、台座の設置態様を変更するとともに、第一表示部、第二表示部の表示と組み合わせたフレキシブルな物品の展示が可能となる。
【０００９】
また、前記台座は、紙製のシート部材で内部が中空状に形成され、
前記載置面部の内面と当接可能な上当接部と、
前記上当接部と連設され、前記載置面部の低い側から高い側に向かう方向に直交する方向に配される一対の前記側面部の内面と当接可能な一対の横当接部と、
前記横当接部及び前記上当接部と連設され形状を保持する保持部と、
を備える補強部材が、
前記上当接部が前記載置面部の内面と当接し、かつ、一対の前記横当接部が対応する前記側面部の内面と当接した状態で前記台座内に配設されている。
【００１０】
これによれば、載置面部、側面部と当接する補強部材により、台座を補強できるので、重い物品であっても展示することが可能となる。特に、傾斜している載置面部の内面と当接可能な（載置面と同様に傾斜することになる）上当接部に特徴があるといえる。
【００１１】
また、請求項４記載の考案では、請求項１〜３のいずれか一項に記載の一の台座と、
請求項１〜３のいずれか一項に記載の他の台座と、
前記一の台座と前記他の台座とを連結する底板部材と、
を備え、
前記一の台座と前記他の台座との間に隙間が設けられた台座ユニットとしている。
【００１２】
これによれば、上記の台座の効果に加えて、一の台座と他の台座との間に隙間を設けることで、物品の底面側に突出する部分があっても展示することが可能な台座ユニットとすることができる。さらに、底板部材により、一の台座と他の台座とを連結することで、一の台座と他の台座の移動を規制できるので、物品の展示状態を安定させることができる。
【００１３】
また、前記一の台座は、前記他の台座と対向する方向に沿った幅が、前記他の台座より幅広に形成されている。
【００１４】
これによれば、他の台座より幅広に形成された一の台座の載置面部に広告等の表示を設けることで、物品の展示態様のバリエーションを増やすことが可能となるので、フレキシブルな物品の展示に寄与する。
【図面の簡単な説明】
【００１５】
【図１】本考案の一実施形態の台座ユニットの斜め前からみた斜視図である。
【図２】同実施形態の台座ユニットの斜め後ろからみた斜視図である。
【図３】同実施形態の台座ユニットの底面図である。
【図４】第一台座の展開図である。
【図５】第二台座の展開図である。
【図６】底板部材の展開図である。
【図７】第一補強部材の展開図である。
【図８】第二補強部材の展開図である。
【図９】第一補強部材の組み立て状態の説明図である。
【図１０】第二補強部材の組み立て状態の説明図である。
【図１１】（Ａ）は第一台座の位置決め、（Ｂ）は第二台座の位置決めの説明図である。
【図１２】同実施形態の台座ユニットを上段側に設置するときの使用態様の説明図である。
【図１３】同実施形態の台座ユニットを下段側に設置するときの使用態様の説明図である。
【考案を実施するための形態】
【００１６】
本考案の台座及びそれを用いた台座ユニットの一実施形態について図面に基づいて説明する。
【００１７】
台座ユニット１０は、図１、２等に示すように、第一台座２０と、第二台座４０と、底板部材６０と、を備えている。
【００１８】
以下の第一台座２０、第二台座４０、底板部材６０の展開状態の説明において、図４〜６の紙面における、上下を上下、左右を左右とし、紙面における手前側を前、奥側を後とする。
【００１９】
第一台座２０は、段ボール製のブランクシートで構成され、図４に示すように、長尺な矩形状に形成された載置面部２１と、載置面部２１の外周縁部から連設される側面部２２、２３、２４、２５と、側面部２５の載置面部２１の反対側の端部から連設される底面部２６と、を有している。
【００２０】
側面部２２は、略矩形形状とされ、側面部２３は、側面部２２より上下方向の幅が長い略矩形形状に形成されている。側面部２４、２５は、線対称となる略台形形状とされ、上側に向かうにしたがって幅が広がるように形成されている。また、換言すれば、第一台座２０は、組み立てた状態において、載置面部２１が、側面部２２側が低く、側面部２３側が高くなるように構成されている。
【００２１】
側面部２２、２３の載置面部２１とは反対側の端部から台形形状に形成されたタック２２ａ、２３ａがそれぞれ延設されている。
【００２２】
側面部２２には、図４の網掛け部分で示す、第一表示部２２ｂが配設され、文字図形等を表示可能とされている。また、側面部２３には、図４の網掛け部分で示す、第二表示部２３ｂが配設され、文字図形等を表示可能とされている。さらに、側面部２５には、図４の網掛け部分で示す、横表示部２５ｃが配設され、文字図形等を表示可能とされている。
【００２３】
側面部２４、２５の下側の端部から略三角形状に形成された内フラップ２４ａ、２５ａがそれぞれ延設され、側面部２４、２５の上側の端部から略台形形状に形成された内フラップ２４ｂ、２５ｂがそれぞれ延設されている。
【００２４】
側面部２４の左側の端部の上部、中央部、下部の三か所には、略台形形状の差込片２４ｃが配設されている。
【００２５】
差込片２４ｃの間には、長尺な矩形状に形成された位置決め片２４ｄが配設されている。
【００２６】
底面部２６の上下の端部から略矩形状のフラップ２６ａ、２６ｂがそれぞれ延設されている。底面部２６の載置面部２１とは反対側の端部から台形形状に形成されたタック２６ｃが延設されている。
【００２７】
タック２６ｃと底面部２６との境界部分近傍には、前後方向に貫通して差込片２４ｃを差し込み可能な差込孔２６ｄが三か所配設されている。
【００２８】
第一台座２０の各構成の境界部分には罫線が配設されている（図４の一点鎖線参照）。
【００２９】
第二台座４０は、段ボール製のブランクシートで構成され、図５に示すように、長尺な矩形状に形成された載置面部４１と、載置面部４１の外周縁部から連設される側面部４２、４３、４４、４５と、側面部４４の載置面部４１の反対側の端部から連設される底面部４６と、を有している。
【００３０】
本実施形態では、載置面部４１、側面部４２、側面部４３、底面部４６は、載置面部２１、側面部２２、側面部２３、底面部２６より、左右方向における幅（実用新案登録請求の範囲における、他の台座と対向する方向に沿った幅）が大きくなるように形成されている。載置面部４１には、文字図形等を表示可能な上表示部４１ａが配設されている。
【００３１】
側面部４２は、略矩形形状とされ、側面部４３は、側面部４２より上下方向の幅が長い略矩形形状に形成されている。側面部４４、４５は、線対称となる略台形形状とされ、上側に向かうにしたがって幅が広がるように形成されている。また、換言すれば、第二台座４０は、組み立てた状態において、載置面部４１が、側面部４２側が低く、側面部４３側が高くなるように構成されている。
【００３２】
側面部４２、４３の載置面部４１とは反対側の端部から台形形状に形成されたタック４２ａ、４３ａがそれぞれ延設されている。
【００３３】
側面部４２には、図５の網掛け部分で示す、第一表示部４２ｂが配設され、文字図形等を表示可能とされている。また、側面部４３には、図５の網掛け部分で示す、第二表示部４３ｂが配設され、文字図形等を表示可能とされている。さらに、側面部４４には、図４の網掛け部分で示す、横表示部４４ｃが配設され、文字図形等を表示可能とされている。
【００３４】
側面部４４、４５の下側の端部から略三角形状に形成された内フラップ４４ａ、４５ａがそれぞれ延設され、側面部４４、４５の上側の端部から略台形形状に形成された内フラップ４４ｂ、４５ｂがそれぞれ延設されている。
【００３５】
側面部４５の右側の端部の上部、中央部、下部の三か所には、略台形形状の差込片４５ｃが配設されている。
【００３６】
差込片４５ｃの間には、長尺な矩形状に形成された位置決め片４５ｄが配設されている。
【００３７】
底面部４６の上下の端部から略矩形状のフラップ４６ａ、４６ｂがそれぞれ延設されている。底面部４６の側面部４４とは反対側の端部から台形形状に形成されたタック４６ｃが延設されている。
【００３８】
タック４６ｃと底面部４６との境界部分近傍には、前後方向に貫通して差込片４５ｃを差し込み可能な差込孔４６ｄが三か所配設されている。
【００３９】
第二台座４０の各構成の境界部分には罫線が配設されている（図５の一点鎖線参照）。
【００４０】
底板部材６０は、段ボール製のブランクシートで構成され、図６に示すように、矩形形状の本体部６１と、本体部６１の各辺から台形形状に延設される折り返し部６２、６３、６４、６５と、を有している。組み立てた状態においては、図３に示すように、四つの折り返し部６２、６３、６４、６５が、本体部６１に接着され外周縁部に段差のある枠が形成された状態となる。
【００４１】
本体部６１には、前後方向に貫通して、位置決め片２４ｄを差し込み可能な第一長孔６１ａ、位置決め片４５ｄを差し込み可能な第二長孔６１ｂが配設されている。
【００４２】
底板部材６０の各構成の境界部分には罫線が配設されている（図６の一点鎖線参照）。
【００４３】
第一補強部材８０（実用新案登録請求の範囲の補強部材に相当する）は、第一台座２０内に配設されるもので、段ボール製で、図７、９に示すように、略十字形状に形成され、組み立てた状態における、載置面部２１の内面と当接可能な上当接部８１と、上当接部８１と連設され、載置面部２１の低い側から高い側に向かう方向に直交する方向に配される一対の側面部２４、２５の内面と当接可能な一対の横当接部８２と、横当接部８２及び上当接部８１と連設され形状を保持する一対の保持部８３と、を備えている。
【００４４】
上当接部８１は、矩形状に形成されている。横当接部８２、８２は、それぞれ六角形状に形成され、上当接部８１の対向する辺から延設されている。
【００４５】
保持部８３は、六角形状に形成され、上当接部８１の横当接部８２、８２が延設されない辺及び横当接部８２、８２の一部に跨って延設されている。本実施形態では、図７紙面における、下側の保持部８３が、上側の保持部８３より、上下方向の幅が小さく形成されている。
【００４６】
保持部８３は、横当接部８２、８２と重ね合わされて接着される台形形状の合わせ部８３ａと、合わせ部８３ａを連結する矩形状の壁部８３ｂと、を有している。上当接部８１は、第一台座２０の載置面部２１の内側と対応するように傾斜している。
【００４７】
第一補強部材８０の各構成の境界部分には罫線が配設されている（図７の一点鎖線参照）。
【００４８】
図９に示す第一補強部材８０を組み立てた状態において、上当接部８１は、一端が低く、他端が高くなるように傾斜して構成され、第一台座２０の載置面部２１の内面に密接可能とされている。
【００４９】
第二補強部材１００（実用新案登録請求の範囲の補強部材に相当する）は、第二台座４０内に配設されるもので、段ボール製で、図８、１０に示すように、略十字形状に形成され、組み立てた状態における、載置面部４１、の内面と当接可能な上当接部１０１と、上当接部１０１と連設され、載置面部４１の低い側から高い側に向かう方向に直交する方向に配される一対の側面部４４、４５の内面と当接可能な一対の横当接部１０２と、横当接部１０２及び上当接部１０１と連設され形状を保持する一対の保持部１０３と、を備えている。
【００５０】
本実施形態では、上当接部１０１は、矩形状に形成されている。横当接部１０２、１０２は、それぞれ六角形状に形成され、上当接部１０１の対向する辺から延設されている。
【００５１】
保持部１０３は、六角形状に形成され、上当接部１０１の横当接部１０２、１０２が延設されない辺及び横当接部１０２、１０２の一部に跨って延設されている。本実施形態では、図８紙面における、下側の保持部１０３が、上側の保持部１０３より、上下方向の幅が小さく形成されている。
【００５２】
保持部１０３は、横当接部１０２、１０２と重ね合わされて接着される台形形状の合わせ部１０３ａと、合わせ部１０３ａを連結する矩形状の壁部１０３ｂと、を有している。上当接部１０１は、第二台座４０の載置面部４１の内側と対応するように傾斜している。
【００５３】
第二補強部材１００の各構成の境界部分には罫線が配設されている（図１０の一点鎖線参照）。また、本実施形態では、上当接部１０１、壁部１０３ｂは、上当接部８１、壁部８３ｂより左右方向の幅が大きく形成されている。
【００５４】
図１０に示す第二補強部材１００を組み立てた状態において、上当接部１０１は、一端が低く、他端が高くなるように傾斜して構成され、第二台座４０の載置面部４１の内面に密接可能とされている。
【００５５】
台座ユニット１０の組み立て方法について説明する。
【００５６】
ブランクシート状態の、第一台座２０の側面部２２、２３、２４、２５、載置面部２１、底面部２６を罫線に沿って折り曲げて、四角筒状とし、タック２６ｃを側面部２４の内側に配するとともに、差込孔２６ｄに差込片２４ｃを差し込んで、形状を保持し、内フラップ２４ａ、２４ｂ、２５ａ、２５ｂ、フラップ２６ａ、２６ｂが内側となるように側面部２２、２３を罫線に沿って折り曲げ、タック２２ａ、２３ａを底面部２６の内側に差し込むことで、第一台座２０を形成する。
【００５７】
このとき、タック２２ａ、２３ａを底面部２６の内側に差し込む前に、第一補強部材８０を、合わせ部８３ａと横当接部８２とを重ね合わせて、組み立て状態とし、第一補強部材８０を側面部２３側から進入させて、図９に参照するように、上当接部８１を載置面部２１の内面と当接させるとともに、一対の横当接部８２、８２を一対の側面部２４、２５の内面と当接させて強度を補強する。また、横当接部８２、保持部８３の下端部が、底面部２６の内面と当接していることになる。
【００５８】
第二台座４０も、第一台座２０と同様に、側面部４２、４３、４４、４５、載置面部４１、底面部４６を罫線に沿って折り曲げて、四角筒状とし、タック４６ｃを側面部４５の内側に配するとともに、差込孔４６ｄに差込片４５ｃを差し込んで、形状を保持し、内フラップ４４ａ、４４ｂ、４５ａ、４５ｂ、フラップ４６ａ、４６ｂが内側となるように側面部４２、４３を罫線に沿って折り曲げ、タック４２ａ、４３ａを底面部４６の内側に差し込むことで、第二台座４０を形成する。
【００５９】
このとき、タック４２ａ、４３ａを底面部４６の内側に差し込む前に、第二補強部材１００を、合わせ部１０３ａと横当接部１０２とを重ね合わせて、組み立て状態とし、第二補強部材１００を側面部４３側から進入させて、図１０に参照するように、上当接部１０１を載置面部４１の内面と当接させるとともに、一対の横当接部１０２、１０２を一対の側面部４４、４５の内面と当接させて強度を補強する。また、横当接部１０２、保持部１０３の下端部が、底面部４６の内面と当接していることになる。
【００６０】
底板部材６０は、図３に示すように、折り返し部６２、６３、６４、６５を折り曲げて、本体部６１と重ね合わせ接着する。折り曲げた折り返し部６２、６３、６４、６５を下にするように配置する。
【００６１】
そして、図１１（Ａ）に示すように、位置決め片２４ｄを第一長孔６１ａに、図１１（Ｂ）に示すように、位置決め片４５ｄを第二長孔６１ｂに、差し込み、第一台座２０、第二台座４０の位置決めをする。底面部２６、４６の下面と、本体部６１の上面とを接着剤、両面テープ等で貼り合わせて台座ユニット１０が完成する。
【００６２】
台座ユニット１０の使用態様としては、上下二段の棚２００に物品としてのチャイルドシートＣを設置する場合で例示すると、上段２０１側に設置するときには、図１２に示すように、側面部２２、４２を人Ｈと正対するように配置し、側面部２３、４３を反対側に配置する。このとき、載置面部２１及び載置面部４１が設置面Ｅに対して傾斜するとともに、第一表示部２２ｂ、４２ｂが視認可能で第二表示部２３ｂ、４３ｂが視認困難な態様（実用新案登録請求の範囲における第一設置態様）となる。
【００６３】
そして、チャイルドシートＣを第一台座２０の載置面部２１と、第二台座４０の載置面部４１とに架け渡すように載置する。この展示状態では、チャイルドシートＣが前下がり状態となり、水平又は上から見上げることになる人Ｈの視線Ｌは、チャイルドシートＣの座面を捉えやすくなる。よって、チャイルドシートＣを見やすくすることができる。さらに、第一表示部２２ｂ、４２ｂの表示と組み合わせたフレキシブルな物品の展示を可能としている。
【００６４】
また、下段２０２側に設置するときには、図１３に示すように、側面部２３、４３を人Ｈと正対するように配置し、側面部２２、４２を反対側に配置する。このとき、載置面部２１及び載置面部４１が設置面Ｅに対して傾斜するとともに、第二表示部２３ｂ、４３ｂが視認可能で第一表示部２２ｂ、４２ｂが視認困難な態様（実用新案登録請求の範囲における第一設置態様）となる。
【００６５】
そして、チャイルドシートＣを第一台座２０の載置面部２１と、第二台座４０の載置面部４１とに架け渡すように載置する。この展示状態では、チャイルドシートＣが後下がり状態となり、上から見下ろすことになる人Ｈの視線Ｌは、チャイルドシートＣの座面を捉えやすくなる。よって、チャイルドシートＣを見やすくすることができる。さらに、第二表示部２３ｂ、４３ｂの表示と組み合わせたフレキシブルな物品の展示を可能としている。
【００６６】
また、第一台座２０と第二台座４０との間に隙間Ｓが設けられているので、サポートレッグＣ１を折り畳んで、チャイルドシートＣの底面側に配した場合であっても、展示することが可能とされている（図１、２参照）。
【００６７】
本願発明を台座としてみれば、外形形状が、少なくとも、物品が載せられる載置面部２１、４１と、載置面部２１、４１の外周縁部から延設される側面部２２、２３、２４、２５、４２、４３、４４、４５と、を備える第一台座２０、第二台座４０であって、設置面Ｅに設置された状態において、載置面部２１、４１が、設置面Ｅに対して傾斜している。
【００６８】
これによれば、例えば、第一台座２０、第二台座４０の設置態様を変更することで、展示態様が変更可能となるので物品を見え易くできる。
【００６９】
また、載置面部２１、４１の低い側に位置する側面部２２、４２に配される第一表示部２２ｂ、４２ｂと、載置面部２１、４１の高い側に位置する側面部２３、４３に配される第二表示部２３ｂ、４３ｂと、を備え、人Ｈが正対した場合に、第一表示部２２ｂ、４２ｂが視認可能で第二表示部２３ｂ、４３ｂが視認困難な第一設置態様と、第二表示部２３ｂ、４３ｂが視認可能で第一表示部２２ｂ、４２ｂが視認困難な第二設置態様と、を取り得る。
【００７０】
これによれば、第一台座２０、第二台座４０の設置態様を変更するとともに、第一表示部２２ｂ、４２ｂ、第二表示部２３ｂ、４３ｂの表示と組み合わせたフレキシブルな物品の展示が可能となる。
【００７１】
また、第一台座２０、第二台座４０は、紙製のシート部材で内部が中空状に形成され、載置面部２１、４１の内面と当接可能な上当接部８１、１０１と、上当接部８１、１０１と連設され、載置面部２１、４１の低い側から高い側に向かう方向に直交する方向に配される一対の側面部２４、２５、４４、４５の内面と当接可能な一対の横当接部８２、１０２と、横当接部８２、１０２及び上当接部８１、１０１と連設され形状を保持する保持部８３、１０３と、を備える第一補強部材８０、第二補強部材１００が、上当接部８１、１０１が載置面部２１、４１の内面と当接し、かつ、一対の横当接部８２、１０２が対応する側面部２４、２５、４４、４５の内面と当接した状態で第一台座２０、第二台座４０内に配設されている。
【００７２】
これによれば、載置面部２１、４１、側面部２４、２５、４４、４５と当接する第一補強部材８０、第二補強部材１００により、第一台座２０、第二台座４０を補強できるので、重い物品であっても展示することが可能となる。特に、傾斜している載置面部２１、４１の内面と当接可能な（載置面と同様に傾斜することになる）上当接部８１、１０１に特徴があるといえる。
【００７３】
また、台座ユニットとしてみれば、第一台座２０、第二台座４０と、第一台座２０と、第二台座４０とを連結する底板部材６０と、を備え、第一台座２０、第二台座４０との間に隙間Ｓが設けられた台座ユニットとしている。
【００７４】
これによれば、上記の第一台座２０、第二台座４０の効果に加えて、第一台座２０と、第二台座４０との間に隙間Ｓを設けることで、物品の底面側に突出する部分があっても展示することが可能な台座ユニットとすることができる。さらに、底板部材６０により、第一台座２０と、第二台座４０とを連結することで、第一台座２０、第二台座４０座の移動を規制できるので、物品の展示状態を安定させることができる。
【００７５】
また、第二台座４０は、第一台座２０と対向する方向に沿った幅が、第一台座２０より幅広に形成されている。
【００７６】
これによれば、第一台座２０より幅広に形成された第二台座４０の載置面部４１に上表示部４１ａを設けることで、物品の展示態様のバリエーションを増やすことが可能となるので、フレキシブルな物品の展示に寄与する。
【００７７】
本考案の台座及び台座ユニットは上記構成に限定されるものではない。即ち、本考案の要旨を逸脱しない限り各種の設計変更等が可能である。以下に、変形した態様を例示する。
【００７８】
例えば、載置される物品のサイズによっては、第一台座２０、第二台座４０を単独で台座として使用したり、台座ユニット１０として、第一台座２０、第二台座４０を二つ以上の数で構成したりすることも可能である。
【００７９】
また、第一台座２０、第二台座４０は、段ボールで構成したが、物品を載置可能であるならば、合成樹脂、金属、木等の部材で構成することもできる。
【００８０】
また、第一台座２０、第二台座４０は、中空状に形成されていたが、中実状に形成することも可能である。
【００８１】
また、第一台座２０、第二台座４０は、底面部２６、４６を無くして下側が開口した形状とすることも可能である。
【００８２】
また、第一台座２０、第二台座４０は、側面部２２、４２を無くした楔形形状とすることも可能である。
【００８３】
また、第一補強部材８０は、上当接部８１を載置面部２１の内面と当接させるとともに、一対の横当接部８２、８２を一対の側面部２４、２５の内面と当接可能である、第二補強部材１００は、上当接部１０１を載置面部４１の内面と当接させるとともに、一対の横当接部１０２、１０２を一対の側面部４４、４５の内面と当接可能であるならば、それぞれ複数配設することができる。
【符号の説明】
【００８４】
１０  台座ユニット
２０  第一台座
２１  載置面部
２２  側面部
２２ｂ  第一表示部
２３  側面部
２３ｂ  第二表示部
２４  側面部
２５  側面部
４０  第二台座
４１  載置面部
４１ａ  上表示部
４２  側面部
４２ｂ  第一表示部
４３  側面部
４３ｂ  第二表示部
４４  側面部
４５  側面部
６０  底板部材
８０  第一補強部材
８１  上当接部
８２  横当接部
８３  保持部
１００  第二補強部材
１０１  上当接部
１０２  横当接部
１０３  保持部
Ｃ  チャイルドシート
Ｅ  設置面
Ｈ  人
Ｓ  隙間
【図１】
0003225141.tif 000003
【図２】
0003225141.tif 000004
【図３】
0003225141.tif 000005
【図４】
0003225141.tif 000006
【図５】
0003225141.tif 000007
【図６】
0003225141.tif 000008
【図７】
0003225141.tif 000009
【図８】
0003225141.tif 000010
【図９】
0003225141.tif 000011
【図１０】
0003225141.tif 000012
【図１１】
0003225141.tif 000013
【図１２】
0003225141.tif 000014
【図１３】
0003225141.tif 000015